【手続補正書】
【提出日】平成20年8月7日(2008.8.7)
【手続補正１】
【補正対象書類名】明細書
【補正対象項目名】０００４
【補正方法】変更
【補正の内容】
【０００４】
脊椎円板のヘルニアは、難治な痛み、衰弱、感覚麻痺等のいくつかの身体を衰弱させる病状の原因となることがある。これらの症状の治療には、椎間板切除と呼ばれる方法で少なくともヘルニア円板の一部を手術で除去することが必要となることが多い。椎間板切除のみでは円板切除のレベルでの進行性退化を停止できないことが多く、多くの場合円板空間幹部の周りの椎体を融合（関節固定）する目的で椎間板切除とあわせて追加的な手続きををとる。これは、椎体の表面を削り取ることによって軟骨性終板を除去し、移植骨を一片挿入することによって行われる。この移植骨は骨銀行からの同種移植か、典型的に患者の腸骨稜からの自己移植か、又は他の好適な物質であるかもしれない。
この出願の発明に関連する先行技術文献情報としては、以下のものがある（国際出願日以降国際段階で引用された文献及び他国に国内移行した際に引用された文献を含む）。
【特許文献１】米国特許第２６７７３６９号明細書
【特許文献２】米国特許第３４８６５０５号明細書
【特許文献３】米国特許第３６７５５９５号明細書
【特許文献４】米国特許第３８７６７２８号明細書
【特許文献５】米国特許第４０２３５７２号明細書
【特許文献６】米国特許第４１１６２００号明細書
【特許文献７】米国特許第４１７９８１０号明細書
【特許文献８】米国特許第４３０９７７７号明細書
【特許文献９】米国特許第４３４９９２１号明細書
【特許文献１０】米国特許第４５９９０８６号明細書
【特許文献１１】米国特許第４７４３２５６号明細書
【特許文献１２】米国特許第４８６３４７６号明細書
【特許文献１３】米国特許第４８６３４７７号明細書
【特許文献１４】米国特許第４８７４３８９号明細書
【特許文献１５】米国特許第４９０４２６０号明細書
【特許文献１６】米国特許第４９０４２６１号明細書
【特許文献１７】米国特許第４９１７７０４号明細書
【特許文献１８】米国特許第４９３２９６９号明細書
【特許文献１９】米国特許第４９３２９７５号明細書
【特許文献２０】米国特許第４９４６３７８号明細書
【特許文献２１】米国特許第４９５５９０８号明細書
【特許文献２２】米国特許第４９９７４３２号明細書
【特許文献２３】米国特許第５００２５７６号明細書
【特許文献２４】米国特許第５０１５２４７号明細書
【特許文献２５】米国特許第５０３５７１６号明細書
【特許文献２６】米国特許第５０４７０５５号明細書
【特許文献２７】米国特許第５０５９１９４号明細書
【特許文献２８】米国特許第５０６２８４５号明細書
【特許文献２９】米国特許第５０７１４３７号明細書
【特許文献３０】米国特許第５０８０６６２号明細書
【特許文献３１】米国特許第５１０８４３８号明細書
【特許文献３２】米国特許第５１２２１３０号明細書
【特許文献３３】米国特許第５１２３９２６号明細書
【特許文献３４】米国特許第５１７１２８０号明細書
【特許文献３５】米国特許第５１９２３２６号明細書
【特許文献３６】米国特許第５２３４４３１号明細書
【特許文献３７】米国特許第５２３６４６０号明細書
【特許文献３８】米国特許第５２４６４５８号明細書
【特許文献３９】米国特許第５２５８０３１号明細書
【特許文献４０】米国特許第５２６１９１１号明細書
【特許文献４１】米国特許第５３１４４７８号明細書
【特許文献４２】米国特許第５３２０６４４号明細書
【特許文献４３】米国特許第５３７０５９７号明細書
【特許文献４４】米国特許第５４０１２６９号明細書
【特許文献４５】米国特許第５４５８６４２号明細書
【特許文献４６】米国特許第５４８４４３７号明細書
【特許文献４７】米国特許第５４８９３０７号明細書
【特許文献４８】米国特許第５５０７８１６号明細書
【特許文献４９】米国特許第５５１４１８０号明細書
【特許文献５０】米国特許第５５３４０２８号明細書
【特許文献５１】米国特許第５５３４０２９号明細書
【特許文献５２】米国特許第５５３４０９０号明細書
【特許文献５３】米国特許第５５４５２２９号明細書
【特許文献５４】米国特許第５５４９６７９号明細書
【特許文献５５】米国特許第５５７１１８９号明細書
【特許文献５６】米国特許第５５９３４０９号明細書
【特許文献５７】米国特許第５６４５５９８号明細書
【特許文献５８】米国特許第５６６２１５８号明細書
【特許文献５９】米国特許第５６７４２９４号明細書
【特許文献６０】米国特許第５６７４２９５号明細書
【特許文献６１】米国特許第５６７４２９６号明細書
【特許文献６２】米国特許第５６７６７０１号明細書
【特許文献６３】米国特許第５６８３４６４号明細書
【特許文献６４】米国特許第５７０２４５０号明細書
【特許文献６５】米国特許第５７２０７４８号明細書
【特許文献６６】米国特許第５７２２９７７号明細書
【特許文献６７】米国特許第５７４１２５３号明細書
【特許文献６８】米国特許第５７８２８３０号明細書
【特許文献６９】米国特許第５７８２８３２号明細書
【特許文献７０】米国特許第５７９７９０９号明細書
【特許文献７１】米国特許第５８２４０９３号明細書
【特許文献７２】米国特許第５８２４０９４号明細書
【特許文献７３】米国特許第５８６５８４６号明細書
【特許文献７４】米国特許第５８６５８４８号明細書
【特許文献７５】米国特許第５８８５３００号明細書
【特許文献７６】米国特許第５８８８２２６号明細書
【特許文献７７】米国特許第５９２８２８４号明細書
【特許文献７８】米国特許第５９４７９７１号明細書
【特許文献７９】米国特許第５９７６１８７号明細書
【特許文献８０】米国特許第５９８９２９１号明細書
【特許文献８１】米国特許第６００１１３０号明細書
【特許文献８２】米国特許第６０２２３７６号明細書
【特許文献８３】米国特許第６０５９７９０号明細書
【特許文献８４】米国特許第６０５９８２９号明細書
【特許文献８５】米国特許第６０６３１２１号明細書
【特許文献８６】米国特許第６０６６１７４号明細書
【特許文献８７】米国特許第６０８０１５５号明細書
【特許文献８８】米国特許第６０８３２２８号明細書
【特許文献８９】米国特許第６０８６５９５号明細書
【特許文献９０】米国特許第６０９６０３８号明細書
【特許文献９１】米国特許第６１３９５７９号明細書
【特許文献９２】米国特許第６１５６０６７号明細書
【特許文献９３】米国特許第６１６２２５２号明細書
【特許文献９４】米国特許第６１７９８７４号明細書
【特許文献９５】米国特許第６２２８０２２号明細書
【特許文献９６】米国特許第６２２８０２６号明細書
【特許文献９７】米国特許第６２３１６０９号明細書
【特許文献９８】独国特許発明第２２６３８４２号明細書
【特許文献９９】独国特許発明第３０２３３５３号明細書
【特許文献１００】独国特許発明第２８０４９３６号明細書
【特許文献１０１】ソビエト連邦国特許第８９５４３３号明細書
【特許文献１０２】欧州特許第０１７６７２８号明細書
【特許文献１０３】独国特許発明第３７４１４９３号明細書
【特許文献１０４】ソビエト連邦国特許第１５６０１８４号明細書
【特許文献１０５】Ｒｏｌｌ  ｎｏ．  Ｇ  ９０  ００  ０９４．３
【特許文献１０６】欧州特許出願公開第０５６０１４０号明細書
【特許文献１０７】国際公開第２０００／０４８３９号パンフレット
【特許文献１０８】国際公開第２０００／０４８５１号パンフレット
【特許文献１０９】国際公開第２０００／１３６１９号パンフレット
【特許文献１１０】国際公開第２０００／１３６２０号パンフレット
【特許文献１１１】米国特許第２６７７３６９号明細書
【特許文献１１２】米国特許第３４８６５０５号明細書
【特許文献１１３】米国特許第３５７４３７４号明細書
【特許文献１１４】米国特許第３８７５５９５号明細書
【特許文献１１５】米国特許第３８７６７２８号明細書
【特許文献１１６】米国特許第４０２３５７２号明細書
【特許文献１１７】米国特許第４１１６２００号明細書
【特許文献１１８】米国特許第４１７９８１０号明細書
【特許文献１１９】米国特許第４３０９７７７号明細書
【特許文献１２０】米国特許第４３４９９２１号明細書
【特許文献１２１】米国特許第４５９９０８６号明細書
【特許文献１２２】米国特許第４６４５５０７号明細書
【特許文献１２３】米国特許第４７１４４６９号明細書
【特許文献１２４】米国特許第４７４３２５６号明細書
【特許文献１２５】米国特許第４７５７９８３号明細書
【特許文献１２６】米国特許第４７５９７６６号明細書
【特許文献１２７】米国特許第４７５９７６９号明細書
【特許文献１２８】米国特許第４７６６３２８号明細書
【特許文献１２９】米国特許第４７７７９４２号明細書
【特許文献１３０】米国特許第４８００６３９号明細書
【特許文献１３１】米国特許第４８３４７５７号明細書
【特許文献１３２】米国特許第４８６３４７６号明細書
【特許文献１３３】米国特許第４８６３４７７号明細書
【特許文献１３４】米国特許第４８７４３８９号明細書
【特許文献１３５】米国特許第４８７８９１５号明細書
【特許文献１３６】米国特許第４８８７５９５号明細書
【特許文献１３７】米国特許第４９０４２６０号明細書
【特許文献１３８】米国特許第４９０４２６１号明細書
【特許文献１３９】米国特許第４９０８０３２号明細書
【特許文献１４０】米国特許第４９０８０３６号明細書
【特許文献１４１】米国特許第４９１１７１８号明細書
【特許文献１４２】米国特許第４９１７７０４号明細書
【特許文献１４３】米国特許第４９３２９６９号明細書
【特許文献１４４】米国特許第４９３２９７５号明細書
【特許文献１４５】米国特許第４９４６３７８号明細書
【特許文献１４６】米国特許第４９５５９０８号明細書
【特許文献１４７】米国特許第４９７８３５５号明細書
【特許文献１４８】米国特許第４９９７４３２号明細書
【特許文献１４９】米国特許第５００２５７６号明細書
【特許文献１５０】米国特許第５０１５２４７号明細書
【特許文献１５１】米国特許第５０３５７１６号明細書
【特許文献１５２】米国特許第５０４７０５５号明細書
【特許文献１５３】米国特許第５０５９１９３号明細書
【特許文献１５４】米国特許第５０５９１９４号明細書
【特許文献１５５】米国特許第５０６２８４５号明細書
【特許文献１５６】米国特許第５０７１４３７号明細書
【特許文献１５７】米国特許第５０８０６６２号明細書
【特許文献１５８】米国特許第５０８４０４８号明細書
【特許文献１５９】米国特許第５１０８４３８号明細書
【特許文献１６０】米国特許第５１２２１３０号明細書
【特許文献１６１】米国特許第５１２３９２６号明細書
【特許文献１６２】米国特許第５１７１２８０号明細書
【特許文献１６３】米国特許第５１７１２８１号明細書
【特許文献１６４】米国特許第５１７６７０８号明細書
【特許文献１６５】米国特許第５１９２３２６号明細書
【特許文献１６６】米国特許第５１９２３２７号明細書
【特許文献１６７】米国特許第５２３４４３１号明細書
【特許文献１６８】米国特許第５２３６４６０号明細書
【特許文献１６９】米国特許第５２４６４５８号明細書
【特許文献１７０】米国特許第５２５８０３１号明細書
【特許文献１７１】米国特許第５２６１９１１号明細書
【特許文献１７２】米国特許第５２６１９１３号明細書
【特許文献１７３】米国特許第５３０６３０８号明細書
【特許文献１７４】米国特許第５３１４４７７号明細書
【特許文献１７５】米国特許第５３１４４７８号明細書
【特許文献１７６】米国特許第５３２０６４４号明細書
【特許文献１７７】米国特許第５３７０６９７号明細書
【特許文献１７８】米国特許第５３８３９３３号明細書
【特許文献１７９】米国特許第５４０１２６９号明細書
【特許文献１８０】米国特許第５４０３３１４号明細書
【特許文献１８１】米国特許第５４２５７７２号明細書
【特許文献１８２】米国特許第５４２５７７３号明細書
【特許文献１８３】米国特許第５４４３５１４号明細書
【特許文献１８４】米国特許第５４５６７１９号明細書
【特許文献１８５】米国特許第５４５８６３８号明細書
【特許文献１８６】米国特許第５４５８６４２号明細書
【特許文献１８７】米国特許第５４８４４３７号明細書
【特許文献１８８】米国特許第５４８９３０７号明細書
【特許文献１８９】米国特許第５４８９３０８号明細書
【特許文献１９０】米国特許第５４９６３１８号明細書
【特許文献１９１】米国特許第５５０７８１６号明細書
【特許文献１９２】米国特許第５５１４１８０号明細書
【特許文献１９３】米国特許第５５２７３１５号明細書
【特許文献１９４】米国特許第５５３４０２８号明細書
【特許文献１９５】米国特許第５５３４０２９号明細書
【特許文献１９６】米国特許第５５３４０９０号明細書
【特許文献１９７】米国特許第５５４５２２９号明細書
【特許文献１９８】米国特許第５５４９６７９号明細書
【特許文献１９９】米国特許第５５５６４３１号明細書
【特許文献２００】米国特許第５５６２７３８号明細書
【特許文献２０１】米国特許第５５７１１８９号明細書
【特許文献２０２】米国特許第５５９３４０９号明細書
【特許文献２０３】米国特許第５６０９６３６号明細書
【特許文献２０４】米国特許第５６４５５９８号明細書
【特許文献２０５】米国特許第５６４９９２６号明細書
【特許文献２０６】米国特許第５６５８２８５号明細書
【特許文献２０７】米国特許第５６６２１５８号明細書
【特許文献２０８】米国特許第５６７４２９４号明細書
【特許文献２０９】米国特許第５６７４２９５号明細書
【特許文献２１０】米国特許第５６７４２９６号明細書
【特許文献２１１】米国特許第５６７６７０１号明細書
【特許文献２１２】米国特許第５６８３４６４号明細書
【特許文献２１３】米国特許第５７０２４５０号明細書
【特許文献２１４】米国特許第５７１３８９９号明細書
【特許文献２１５】米国特許第５７１６４１５号明細書
【特許文献２１６】米国特許第５７２０７４８号明細書
【特許文献２１７】米国特許第５７２２９７７号明細書
【特許文献２１８】米国特許第５７２３０１３号明細書
【特許文献２１９】米国特許第５７４１２５３号明細書
【特許文献２２０】米国特許第５７８２８３０号明細書
【特許文献２２１】米国特許第５７８２８３２号明細書
【特許文献２２２】米国特許第５７９７９０９号明細書
【特許文献２２３】米国特許第５８２４０９３号明細書
【特許文献２２４】米国特許第５８２４０９４号明細書
【特許文献２２５】米国特許第５８６５８４６号明細書
【特許文献２２６】米国特許第５８６５８４８号明細書
【特許文献２２７】米国特許第５８８５３００号明細書
【特許文献２２８】米国特許第５８８８１９７号明細書
【特許文献２２９】米国特許第５８８８２２６号明細書
【特許文献２３０】米国特許第５８９７０８７号明細書
【特許文献２３１】米国特許第５９０２２３３号明細書
【特許文献２３２】米国特許第５９２８２８４号明細書
【特許文献２３３】米国特許第５９４７９７１号明細書
【特許文献２３４】米国特許第５９７６１８７号明細書
【特許文献２３５】米国特許第５９８４８６５号明細書
【特許文献２３６】米国特許第５９８９２９１号明細書
【特許文献２３７】米国特許第６００１１３０号明細書
【特許文献２３８】米国特許第６０１７００８号明細書
【特許文献２３９】米国特許第６０２２３７６号明細書
【特許文献２４０】米国特許第６０３３３６３号明細書
【特許文献２４１】米国特許第６０５９７９０号明細書
【特許文献２４２】米国特許第６０５９８２９号明細書
【特許文献２４３】米国特許第６０６３１２１号明細書
【特許文献２４４】米国特許第６０６６１７４号明細書
【特許文献２４５】米国特許第６０８０１５５号明細書
【特許文献２４６】米国特許第６０８３２２８号明細書
【特許文献２４７】米国特許第６０８６５９５号明細書
【特許文献２４８】米国特許第６０９６０３８号明細書
【特許文献２４９】米国特許第６１３９５７９号明細書
【特許文献２５０】米国特許第６１５６０６７号明細書
【特許文献２５１】米国特許第６１６２２５２号明細書
【特許文献２５２】米国特許第６１７９８７４号明細書
【特許文献２５３】米国特許第６２２８０２２号明細書
【特許文献２５４】米国特許第６２２８０２６号明細書
【特許文献２５５】米国特許第６２３１６０９号明細書
【特許文献２５６】米国特許出願公開第２００２／０１５１９０１号明細書
【特許文献２５７】独国特許発明第２２６３８４２号明細書
【特許文献２５８】独国特許出願公開第３０  ２３  ３５３号明細書
【特許文献２５９】独国特許発明第２８０４９３６号明細書
【特許文献２６０】ソビエト連邦国特許第８９５４３３号明細書
【特許文献２６１】欧州特許第０１７６７２８号明細書
【特許文献２６２】独国特許出願公開第３７  ４１  ４９３号明細書
【特許文献２６３】ソビエト連邦国特許第１５６０１８４号明細書
【特許文献２６４】欧州特許出願公開第０５６０１４０号明細書
【特許文献２６５】独国特許出願公開第１９６  ５３  ５８０号明細書
【特許文献２６６】国際公開第２０００／０４８３９号パンフレット
【特許文献２６７】国際公開第２０００／０４８５１号パンフレット
【特許文献２６８】国際公開第２０００／１３６１９号パンフレット
【特許文献２６９】国際公開第２０００／１３６２０号パンフレット
【特許文献２７０】国際公開第２００２／１１６３３号パンフレット
【特許文献２７１】米国特許第５２５７９９８号明細書
【特許文献２７２】米国特許第５３８９１０１号明細書
【特許文献２７３】米国特許第５５３４０３０号明細書
【特許文献２７４】米国特許第５９６４７６１号明細書
【特許文献２７５】米国特許第６５１７５４４号明細書
【特許文献２７６】米国特許第６５７５８９９号明細書
【特許文献２７７】米国特許第４６１７９１６号明細書
【特許文献２７８】独国特許出願公開第９０  ００  ０９４．３号明細書
【特許文献２７９】欧州特許出願公開第０９５１１９８号明細書
【特許文献２８０】特願第２００１−０２４７０３号明細書
【特許文献２８１】特願第２０００−０３２００７号明細書
【非特許文献１】Ｂｒａｉｎ，  ｅｔ  ａｌ．，  "Ｔｈｅ  Ｎｅｕｒｏｌｏｇｉｃａｌ  Ｍａｎｉｆｅｓｔａｔｉｏｎｓ  ｏｆ  Ｃｅｒｖｉｃａｌ  Ｓｐｏｎｄｙｌｏｓｉｓ"，  Ｂｒａｉｎ：  Ａ  Ｊｏｕｒｎａｌ  ｏｆ  Ｎｅｕｒｏｌｏｇｙ，  ｖｏｌ．  ７５；  Ｍａｃｍｉｌｌａｎ  &  Ｃｏ．；  １９５２；  ｐｐ．  １８７−２２５．
【非特許文献２】Ｂｕｔｔｎｅｒ−Ｊａｎｚ，  ｅｔ  ａｌ．；  "Ｂｉｏｍｅｃｈａｎｉｃｓ  ｏｆ  ｔｈｅ  ＳＢ  Ｃｈａｒｉｔｅ  Ｌｕｍｂａｒ  Ｉｎｔｅｒｖｅｒｔｅｂｒａｌ  Ｄｉｓｃ  Ｅｎｄｏｐｒｏｓｔｈｅｓｉｓ"；  Ｉｎｔｅｒｎａｔｉｏｎａｌ  Ｏｒｔｈｏｐｅｄｉｃｓ；  ｖｏｌ．  １３；  １９８９；  ｐｐ．  １７３−１７６．
【非特許文献３】Ｅｄｅｌａｎｄ；  "Ｓｏｍｅ  Ａｄｄｔｉｔｉｏｎａｌ  Ｓｕｇｇｅｓｔｉｏｎｓ  ｆｏｒ  ａｎ  Ｉｎｔｅｒｖｅｒｔｅｂｒａｌ  Ｄｉｓｃ  Ｐｒｏｓｔｈｅｓｉｓ"；  Ｄｅｐｔ．  ｏｆ  Ｏｃｃｕｐａｔｉｏｎａｌ  Ｈｅａｌｔｈ；  Ｖｄｖｏ  ＰＶ  ＡＢ；  Ｓ−４０５０８；  Ｇｏｔｅｂｏｒｇ；  Ｓｗｅｄｅｎ；  １９８５  Ｂｕｔｔｅｒｗｏｒｔｈ  &  Ｃｏ．  Ｐｕｂｌｉｓｈｅｒｓ  Ｌｔｄ．
【非特許文献４】Ｅｎｋｅｒ  ｅｔ  ａｌ．；  "Ａｒｔｉｆｉｃｉａｌ  Ｄｉｓｃ  Ｒｅｐｌａｃｅｍｅｎｔ"；  Ｓｐｉｎｅ；  ｖｏｌ．  １８；  Ｎｏ．  ８；  １９９３；  ｐｐ．  １０６１−１０７０．
【非特許文献５】Ｈａｗｋｉｎｓ，  ｅｔ  ａｌ．；  "Ｓｈｅａｒ  Ｓｔａｂｉｌｉｔｙ  ｏｆ  ａｎ  Ｅｌａｓｔｏｍｅｒｉｃ  Ｄｉｓｋ  Ｓｐａｃｅｒ  Ｗｉｔｈｉｎ  ａｎ  Ｉｎｔｅｒｖｅｒｔｅｂｒａｌ  Ｊｏｉｎｔ：  Ａ  Ｐａｒａｍｅｔｒｉｃ  Ｓｔｕｄｙ"；  Ｊｏｕｒｎａｌ  ｏｆ  Ｂｉｏｍｅｃｈａｎｉｃａｌ  Ｅｎｇｉｎｅｅｒｉｎｇ  Ｔｅｃｈｎｉｃａｌ  Ｂｒｉｅｆｓ；  ｖｏｌ．  １１４；  Ａｕｇ．  １９９２；ｐｐ．  ４１４−４１５．
【非特許文献６】Ｈｅｄｍａｎ，  ｅｔ  ａｌ．；  "Ｄｅｓｉｇｎ  ｏｆ  ａｎ  Ｉｎｔｅｖｅｒｔｅｂｒａｌ  Ｄｉｓｃ  Ｐｒｏｓｔｈｅｓｉｓ"；  Ｓｐｉｎｅ；  ｖｏｌ．  １７；  Ｎｏ．  ６；  １９９１；  ｐｐ．Ｓ２５６−Ｓ２６０．
【非特許文献７】Ｈｅｌｌｉｅｒ，  ｅｔ  ａｌ．；  "Ｗｅａｒ  Ｓｔｕｄｉｅｓ  ｆｏｒ  Ｄｅｖｅｌｏｐｍｅｎｔ  ｏｆ  ａｎ  Ｉｎｔｅｒｖｅｒｔｅｂｒａｌ  Ｄｉｓｃ  Ｐｒｏｓｔｈｅｓｉｓ"；  Ｓｐｉｎｅ；  ｖｏｌ．  １７；  Ｎｏ．  ６  Ｓｕｐｐｌｅｍｅｎｔ；  １９９２；Ｓ８６−Ｓ９６．
【非特許文献８】Ｈｏｏｄ；  "Ｆａｒ  Ｌａｔｅｒａｌ  Ｌｕｍｂａｒ  Ｄｉｓｃ  Ｈｅｒｎｉａｔｉｏｎｓ"；  Ｎｅｕｒｏｓｕｒｇｅｒｙ  Ｃｌｉｎｉｃｓ  ｏｆ  Ｎｏｒｔｈ  Ａｍｅｒｉｃａ；  ｖｏｌ．４，  Ｎｏ．  １；  Ｊａｎ．  １９９３；  ｐｐ．１１７−１２４．
【非特許文献９】Ｌａｎｇｒａｎａ，  ｅｔ  ａｌ．；  "Ｆｉｎｉｔｅ−Ｅｌｅｍｅｎｔ  Ｍｏｄｅｌｉｎｇ  ｏｆ  ｔｈｅ  Ｓｙｎｔｈｅｔｉｃ  Ｉｎｔｅｒｖｅｒｔｅｂｒａｌ  Ｄｉｓｃ"；  Ｓｐｉｎｅ；  ｖｏｌ．  １６；  Ｎｏ．  ６：  １９９１；  ｐｐ．  Ｓ２４５−Ｓ２５２．
【非特許文献１０】Ｌｅｅ，  ｅｔ  ａｌ．；  "Ｄｅｖｅｌｏｐｍｅｎｔ  ｏｆ  ａ  Ｐｒｏｓｔｈｅｔｉｃ  Ｉｎｔｅｒｖｅｒｔｅｂｒａｌ  Ｄｉｓｃ"；  Ｓｐｉｎｅ；  ｖｏｌ．  １６；  Ｎｏ．  ６；  １９９１；ｐｐ．Ｓ２５３−Ｓ２５５
【非特許文献１１】Ｌｅｅｓ，  ｅｔ  ａｌ．；  "Ｎａｔｕｒａｌ  Ｈｉｓｔｏｒｙ  &  Ｐｒｏｇｎｏｓｉｓ  ｏｆ  Ｃｅｒｖｉｃａｌ  Ｓｐｏｎｄｙｌｏｓｉｓ"；  Ｂｒｉｔｉｓｈ  Ｍｅｄｉｃａｌ  Ｊｏｕｒｎａｌ；  Ｄｅｃ．  ２８，  １９６３；  Ｂｒｉｔｉｓｈ  Ｍｅｄｉｃａｌ  Ａｓｓｏｃｉａｔｉｏｎ，  Ｌｏｎｄｏｎ，  Ｅｎｇｌａｎｄ；  Ｃｏｐｙｒｉｇｈｔ  １９６３；  ｐｐ．  １６０７−１６１０．
【非特許文献１２】Ｌｏｎｇ；  "Ｆａｉｌｅｄ  Ｂａｃｋ  Ｓｕｒｇｅｒｙ  Ｓｙｎｄｒｏｍｅ"；  Ｎｅｕｒｏｓｕｒｇｅｒｙ  Ｃｌｉｎｉｃｓ  ｏｆ  Ｎｏｒｔｈ  Ａｍｅｒｉｃａ；  ｖｏｌ．２，  Ｎｏ．４；  Ｏｃｔ．  １９９１；  ｐｐ．８９９−９１９．
【非特許文献１３】Ｒａｙ；  "Ｔｈｅ  Ａｒｔｉｆｉｃｉａｌ  Ｄｉｓｃ−Ｉｎｔｒｏｄｕｃｔｉｏｎ，  Ｈｉｓｔｏｒｙ  ａｎｄ  Ｓｏｃｉｏｅｃｏｎｏｍｉｃｓ"；  Ｃｌｉｎｉｃａｌ  Ｅｆｆｉｃａｃｙ  ａｎｄ  Ｏｕｔｃｏｍｅ  ｉｎ  ｔｈｅ  Ｄｉａｇｎｏｓｉｓ  ａｎｄ  Ｔｒｅａｔｍｅｎｔ  ｏｆ  Ｌｏｗ  Ｂａｃｋ  Ｐａｉｎ；  Ｒａｖｅｎ  Ｐｒｅｓｓ，  Ｌｔｄ．，  ＮＹ；  １９９２；  ｐｐ．２０５−２８０．
【非特許文献１４】Ｒｏｂｉｎｓｏｎ，  ｅｔ  ａｌ．；  "Ｔｈｅ  Ｒｅｓｕｌｔｓ  ｏｆ  Ａｎｔｅｒｉｏｒ  Ｉｎｔｅｒｂｏｄｙ  Ｆｕｓｉｏｎ  ｏｆ  ｔｈｅ  Ｃｅｒｖｉｃａｌ  Ｓｐｉｎｅ"；  Ｔｈｅ  Ｊｏｕｒｎａｌ  ｏｆ  Ｂｏｎｅ  &  Ｊｏｉｎｔ  Ｓｕｒｇｅｒｙ；  ｖｏｌ．  ４４−Ａ，  Ｎｏ．  ８，  Ｄｅｃ．  １９６２；  ｐｐ．  １５６９−１５８７．
【非特許文献１５】Ｓｉｍｅｏｎｅ  ａｎｄ  Ｒｏｔｈｍａｎ；  "Ｃｅｒｖｉｃａｌ  Ｄｉｓｃ  Ｄｉｓｅａｓｅ"；  Ｐｅｎｎｓｙｌｖａｎｉａ  Ｈｏｓｐｉｔａｌ  &  Ｕｎｉｖｅｒｓｉｔｙ  ｏｆ  Ｐｅｎｎｓｙｌｖａｎｉａ；  １９７５；  ｐｐ．  ３８７−４３３．
【非特許文献１６】Ｓｏｌｉｎｉ，  ｅｔ  ａｌ．；  "Ｍｅｔａｌ  Ｃｅｍｅｎｔｌｅｓｓ  Ｐｒｏｓｔｈｅｓｉｓ  ｆｏｒ  Ｖｅｒｔｅｂｒａｌ  Ｂｏｄｙ  Ｒｅｐｌａｃｅｍｅｎｔ  ｏｆ  Ｍｅｔａｓｔａｔｉｃ  Ｍａｌｉｇｎａｎｔ  Ｄｉｓｅａｓｅ  ｏｆ  ｔｈｅ  Ｃｅｒｖｉｃａｌ  Ｓｐｉｎｅ"；  Ｊｏｕｒｎａｌ  ｏｆ  Ｓｐｉｎａｌ  Ｄｉｓｏｒｄｅｒｓ；  ｖｏｌ．  ２；  Ｎｏ．  ４；  １９８９；  ｐｐ．  ２５４−２６２．
【非特許文献１７】Ｔａｙｌｏｒ，  Ｃｏｌｌｉｅｒ；  "Ｔｈｅ  Ｏｃｃｕｒｒｅｎｃｅ  ｏｆ  Ｏｐｔｉｃ  Ｎｅｕｒｉｔｉｓ  ｉｎ  Ｌｅｓｉｏｎｓ  ｏｆ  ｔｈｅ  Ｓｐｉｎａｌ  Ｃｏｒｄ，  Ｉｎｊｕｒｙ，  Ｔｕｍｏｒ，  Ｍｅｌｉｔｉｓ"；  Ｂｒａｉｎ：  Ａ  Ｊｏｕｒｎａｌ  ｏｆ  Ｎｅｕｒｏｌｏｇｙ；  ｖｏｌ．  ２４；  Ｍａｃｍｉｌｌｉａｎ  &  Ｃｏ．  Ｌｔｄ，  １９０１；  ｐｐ．  ５３２−５５０．
【非特許文献１８】Ｔｉｅ−ｓｈｅｎｇ，  ｅｔ  ａｌ．；  "Ｌｕｍｂａｒ  Ｉｎｔｅｒｖｅｒｔｅｂｒａｌ  Ｄｉｓｃ  Ｐｒｏｓｔｈｅｓｉｓ"；  Ｃｈｉｎｅｓｅ  Ｍｅｄｉｃａｌ  Ｊｏｕｒｎａｌ．  １０４−（５）；  １９９１；  ｐｐ．  ３８１−３８６．
【非特許文献１９】Ａｒｔｉｆｉｃｉａｌ  Ｄｉｓｃ，  Ｍａｒｋｅｔ  Ｐｏｔｅｎｔｉａｌ  ａｎｄ  Ｔｅｃｈｎｏｌｏｇｙ  ｕｐｄａｔｅ，  Ｖｉｓｃｏｇｌｉｏｓｉ  Ｂｒｏｓ．，  ＬＬＣ，  Ｆｅｂｒｕａｒｙ  ２０００，  ｐｐ．  １−６５．
【非特許文献２０】Ｂｏｎｉｎｇ−Ｕｐ，  Ｔｈｅ  Ｍｕｓｃｕｌｏｓｋｅｌｅｔａｌ  Ｈｅａｌｔｈｃａｒｅ  Ｉｎｄｕｓｔｒｙ，  Ｉｎｄｕｓｔｒｙ  Ｃｏｍｍｅｎｔａｒｙ  &  Ｒｅｖｉｅｗ  ｏｆ  １９９９，  Ｖｉｓｃｏｇｌｉｏｓｉ  Ｂｒｏｓ．，  ＬＬＣ．，  Ｍａｒｃｈ  １０，  ２０００，  ｐｐ．  １−３３．
【非特許文献２１】Ｂｒｙａｎ  Ｔｏｔａｌ  Ｃｅｒｖｉｃａｌ  Ｄｉｓｃ  Ｐｒｏｓｔｈｅｓｉｓ，  Ｓｉｎｇｌｅ  Ｌｅｖｅｌ  Ｓｕｒｇｉｃａｌ  Ｔｅｃｈｎｉｑｕｅ  Ｍａｎｕａｌ，  ＳＰＩＮＡＬ  Ｄｙｎａｍｉｃｓ  Ｃｏｒｐｏｒａｔｉｏｎ，  ２０００，  ０１０８０−００４，  ｐｐ．  ２９
【非特許文献２２】Ｓｐｉｎｅ  Ｉｎｄｕｓｔｒｙ  Ｄｙｎａｍｉｃｓ，  Ｖｉｓｃｏｇｌｉｏｓｉ  Ｂｒｏｓ．，  ＬＬＣ．，  Ｍａｒｃｈ  １０，  ２０００，  ｐｐ．  １−４．
【非特許文献２３】"Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｈｉｇｈ−ｌｅｖｅｌ  ｄａｔａ  ｌｉｎｋ  ｃｏｎｔｒｏｌ  （ＨＤＬＣ）  ｐｒｏｃｅｄｕｒｅｓ−Ｅｌｅｍｅｎｔｓ  ｏｆ  ｐｒｏｃｅｄｕｒｅｓ，  Ｉｎｔｅｒｎａｔｉｏｎａｌ  Ｓｔａｎｄａｒｄ−ＩＳＯ／ＩＥＣ  ４３３５，  （１９９１），  ｐｐ．  １−４５
【非特許文献２４】"Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｈｉｇｈ−ｌｅｖｅｌ  ｄａｔａ  ｌｉｎｋ  ｃｏｎｔｒｏｌ  （ＨＤＬＣ）  ｐｒｏｃｅｄｕｒｅｓ−Ｅｌｅｍｅｎｔｓ  ｏｆ  ｐｒｏｃｅｄｕｒｅｓ．  Ａｍｅｎｄｍｅｎｔ  ４：  Ｍｕｌｔｉ−ｓｅｌｅｃｔｉｖｅ  ｒｅｊｅｃｔ  ｏｐｔｉｏｎ"，  Ｉｎｔｅｒｎａｔｉｏｎａｌ  Ｓｔａｎｄａｒｄ−ＩＳＯ／ＩＥＣ  ４３３５，  （１９９１），  ｐｐ．  １−３
【非特許文献２５】"Ｉｎｔｅｒｆａｃｅ  Ｂｅｔｗｅｅｎ  Ｄａｔａ  Ｔｅｒｍｉｎａｌ  Ｅｑｕｉｐｍｅｎｔ  ａｎｄ  Ｄａｔａ  Ｃｉｒｃｕｉｔ−Ｔｅｒｍｉｎａｔｉｎｇ  Ｅｑｕｉｐｍｅｎｔ  Ｅｍｐｌｏｙｉｎｇ  Ｓｅｒｉａｌ  Ｂｉｎａｒｙ  Ｄａｔａ  Ｉｎｔｅｒｃｈａｎｇｅ"，  ＥＩＡ  Ｓｔａｎｄａｒｄ−２３２−Ｄ，  Ｒｅｖｉｓｉｏｎ  ｏｆ  ＥＩＡ−２３２−Ｃ，  （Ｊａｎｕａｒｙ  １９８７），  ｐｐ．  １−４６
【非特許文献２６】"Ｉｎｔｅｒｎａｔｉｏｎａｌ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｈｉｇｈ−ｌｅｖｅｌ  ｄａｔａ  ｌｉｎｋ  ｃｏｎｔｒｏｌ  （ＨＤＬＣ）  ｐｒｏｃｅｄｕｒｅｓ−Ｆｒａｍｅ  ｓｔｒｕｃｔｕｒｅ"，  Ｉｎｔｅｒｎａｔｉｏｎａｌ  Ｓｔａｎｄａｒｄ，  ＩＳＯ／ＩＥＣ  ３３０９，  （１９９３），  ｐｐ．  １−８
【非特許文献２７】"Ｉｎｔｅｒｎｅｔ  Ｐｒｏｔｏｃｏｌ"，  ＩＥＴＦ  ＲＦＣ  ７９１．  （１９８１），  ｐｐ．  １−３７
【非特許文献２８】"Ｐａｒｔ  ３：  Ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ｄｅｔｅｃｔｉｏｎ  （ＣＳＭＡ／ＣＤ）  ａｃｃｅｓｓ  ｍｅｔｈｏｄ  ａｎｄ  ｐｈｙｓｉｃａｌ  ｌａｙｅｒ  ｓｐｅｃｉｆｉｃａｔｉｏｎｓ"，  ＩＥＥＥ  Ｓｔａｎｄａｒｄ  ｆｏｒ  Ｉｎｆｏｒｍａｔｉｏｎ  ｔｅｃｈｎｏｌｏｇｙ  ８０２．３，  （２０００），  ｐｐ．  １−１５１５
【非特許文献２９】"Ｐｒｏｊｅｃｔ  ２５  ＦＤＭＡ  Ｃｏｍｍｏｎ  Ａｉｒ  Ｉｎｔｅｒｆａｃｅ  Ｎｅｗ  Ｔｅｃｈｎｏｌｏｇｙ  Ｓｔａｎｄａｒｄｓ  Ｐｒｏｊｅｃｔ  Ｄｉｇｉｔａｌ  Ｒａｄｉｏ  Ｔｅｃｈｎｉｃａｌ  Ｓｔａｎｄａｒｄｓ"，  ＡＮＳＩ／ＴＩＡ／ＥＩＡ−１０２．ＢＡＡＡ，  （１９９８），ｐｐ．  １−９４
【非特許文献３０】"Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ，  Ｐａｒｔ  ２：  Ｌｏｇｉｃａｌ  Ｌｉｎｋ  Ｃｏｎｔｒｏｌ"，  ＩＥＥＥ  Ｓｔａｎｄａｒｄ  ｆｏｒ  Ｉｎｆｏｒｍａｔｉｏｎ  ｔｅｃｈｎｏｌｏｇｙ，  ＡＮＳＩ／ＩＥＥＥ  Ｓｔｄ．  ８０２．２，  （１９９８），  ｐｐ．  １−２３９
【非特許文献３１】"ＴＩＡ／ＥＩＡ  Ｔｅｌｅｃｏｍｍｕｎｉｃａｔｉｏｎｓ  Ｓｙｓｔｅｍｓ  Ｂｕｌｌｅｔｉｎ，  ＡＰＣＯ  Ｐｒｏｊｅｃｔ  ２５，  Ｓｙｓｔｅｍ  ａｎｄ  Ｓｔａｎｄａｒｄｓ  Ｄｅｆｉｎｉｔｉｏｎ"，  ＴＳＢ１０２−Ａ  （Ｒｅｖｉｓｉｏｎ  ｏｆ  ＴＳＢ１０２），  （１９９５），  ｐｐ．  １−７４，  Ａ−１−Ｃ−１２
【非特許文献３２】"Ｔｒａｎｓｍｉｓｓｉｏｎ  Ｃｏｎｔｒｏｌ  Ｐｒｏｔｏｃｏｌ"，  ＲＦＣ  ７９３，  ＤＡＲＰＡ  Ｉｎｔｅｒｎｅｔ  Ｐｒｏｇｒａｍ  Ｐｒｏｔｏｃｏｌ  Ｓｐｅｃｉｆｉｃａｔｉｏｎ，  （１９８１），  ｐｐ．  １−４６
【非特許文献３３】"Ｕｓｅｒ  Ｄａｔａｇｒａｍ  Ｐｒｏｔｏｃｏｌ"，  ＲＦＣ  ７６８，  （１９８０），  ｐｐ．  １−３
【非特許文献３４】ＳＣＨＵＬＺＲＩＮＮＥ，  ｅｔ  ａｌ．，  "ＲＴＰ：  Ａ  Ｔｒａｎｓｐｏｒｔ  Ｐｒｏｔｏｃｏｌ  ｆｏｒ  Ｒｅａｌ−Ｔｉｍｅ  Ａｐｐｌｉｃａｔｉｏｎｓ"，  ＩＥＴＦ  ＲＦＣ  １８８９，  （１９９６），ｐｐ．  １−７５